(57)【要約】【課題】複数個の共振器がブロードサイド結合して成る共振器群が横方向に複数並列に設けられた帯域通過フィルタにおいて、スプリアス応答を大幅に低減したものを提供する。【解決手段】この帯域通過フィルタ１Ｂは、複数個の共振器がブロードサイド結合して成る共振器群が横方向に複数並列に設けられ、この複数の共振器群は少なくとも入力側共振器群２と出力側共振器群３Ｂの２つを含んでおり、入力側共振器群２と結合する入力信号線路２０に高周波信号が入力され、出力側共振器群３Ｂと結合する出力信号線路３０に複数の共振器群２、３Ｂによりフィルタ処理を行った高周波信号を出力するものであって、前記複数の共振器群２、３Ｂのうち、入力側共振器群２と、入力側共振器群ではない少なくとも１つの共振器群（出力側共振器群３Ｂ）とは、スプリアスモードの共振周波数がずれるように構成してある。【選択図】図７
2011050020.tif 000002
【特許請求の範囲】
【請求項１】
複数個の共振器がブロードサイド結合して成る共振器群が横方向に複数並列に設けられ、この複数の共振器群は少なくとも入力側共振器群と出力側共振器群の２つを含んでおり、入力側共振器群と結合する入力信号線路に高周波信号が入力され、出力側共振器群と結合する出力信号線路に前記複数の共振器群によりフィルタ処理を行った高周波信号を出力する帯域通過フィルタであって、
前記複数の共振器群のうち、入力側共振器群と、入力側共振器群ではない少なくとも１つの共振器群とは、スプリアスモードの共振周波数がずれるように構成してあることを特徴とする帯域通過フィルタ。
【請求項２】
請求項１に記載の帯域通過フィルタにおいて、
前記複数の共振器群のうち、入力側共振器群と、入力側共振器群ではない少なくとも１つの共振器群とは、それらを構成する共振器の形状が異なることを特徴とする帯域通過フィルタ。
【請求項３】
請求項２に記載の帯域通過フィルタにおいて、
前記複数の共振器群のうち、入力側共振器群と、入力側共振器群ではない少なくとも１つの共振器群とは、少なくとも、それらを構成する共振器の幅及び長さが異なることを特徴とする帯域通過フィルタ。
【請求項４】
請求項１〜３のいずれか１項に記載の帯域通過フィルタにおいて、
前記複数の共振器群のうち、入力側共振器群と、入力側共振器群ではない少なくとも１つの共振器群とは、それらを構成する共振器の数が異なることを特徴とする帯域通過フィルタ。
【発明の詳細な説明】
【技術分野】
【０００１】
本発明は、マイクロ波周波数帯などの高周波数領域で使用する帯域通過フィルタに関する。
【背景技術】
【０００２】
近年、マイクロ波などの高周波数信号の帯域通過フィルタ（Ｂａｎｄ  Ｐａｓｓ  Ｆｉｌｔｅｒ  ：  ＢＰＦ）に関する研究開発が盛んに行われている。この種の帯域通過フィルタは、λ／４（１／４波長）などで共振する共振器をいくつか設けてそれらを結合させ、所望の帯域の高周波信号を共振器から共振器に伝播させるように構成するのが一般的である。共振器を構成するためには、小型化のために、信号線路及び共振器をパターニングされた薄い導体（いわゆるストリップ導体）としたものが広く用いられている。
【０００３】
一般に、λ／４共振器を用いた帯域通過フィルタは、本来通過させたい帯域の共振周波数の共振モードとその奇数倍の高調波帯域の共振周波数の共振モード（スプリアスモード）を有しているため、不要な高調波帯域をも通過させてしまう。このような不要な帯域はスプリアス応答と称される。このスプリアス応答を低減するには、帯域通過フィルタと直列に低域通過フィルタなどの別のフィルタ等を設けることも可能であるが、そうすると帯域通過フィルタの小型化に対して阻害要因となる。
【０００４】
特許文献１に記載の帯域通過フィルタは、エッジ結合している各々のストリップ導体の共振器のインピーダンスを微妙に変化させてスプリアス応答を低減したものである。なお、エッジ結合は、２個の共振器を横に並べるように同一層に形成して電磁界により結合させたものである。一方、後述のブロードサイド結合は、２個の共振器を別の層に形成して縦に重なるように配置して電磁界により結合させたものである。
【０００５】
特許文献１に記載の帯域通過フィルタは、それ自体がスプリアス応答を低減するので、上記の別のフィルタ等を設ける場合であってもその素子を少なくすることができ、その結果、帯域通過フィルタの小型化には都合が良い。
【０００６】
特許文献２に記載の帯域通過フィルタは、インターディジタル配置でブロードサイド結合しているストリップ導体の複数個の共振器からなる共振器群が横方向に複数並列に設けられたものである。これらは、ストリップ導体を少なくすることができるために、帯域通過フィルタの小型化には非常に有利である。なお、インターディジタル配置は、２個の共振器間で、一方の共振器の開放端と他方の共振器の短絡端（接地導体に接続された端）とが対向し、一方の共振器の短絡端と他方の共振器の開放端とが対向した配置のものである。
【先行技術文献】
【特許文献】
【０００７】
【特許文献１】特開２００３−６９３０６号公報
【特許文献２】特開２００８−９２１１３号公報
【発明の概要】
【発明が解決しようとする課題】
【０００８】
しかし、特許文献２に記載されているような帯域通過フィルタは、ブロードサイド結合した共振器間の結合が強い（結合係数ｋが大きい）ため、共振器間に複数パターンの電磁界分布が生じて共振モードの共振周波数が分裂する。分裂した中の１つの共振モードを本来通過させるべき帯域（基本帯域）の共振モード（基本モード）とすると、その他の共振モードは、不要帯域の共振周波数のスプリアスモードとなるので、スプリアス応答はより複雑になる。
【０００９】
本発明は、係る事由に鑑みてなされたものであり、その目的は、複数個の共振器がブロードサイド結合して成る共振器群が横方向に複数並列に設けられた帯域通過フィルタにおいて、スプリアス応答を大幅に低減した帯域通過フィルタを提供することにある。
【課題を解決するための手段】
【００１０】
上記目的を達成するために、請求項１に記載の帯域通過フィルタは、複数個の共振器がブロードサイド結合して成る共振器群が横方向に複数並列に設けられ、この複数の共振器群は少なくとも入力側共振器群と出力側共振器群の２つを含んでおり、入力側共振器群と結合する入力信号線路に高周波信号が入力され、出力側共振器群と結合する出力信号線路に前記複数の共振器群によりフィルタ処理を行った高周波信号を出力する帯域通過フィルタであって、前記複数の共振器群のうち、入力側共振器群と、入力側共振器群ではない少なくとも１つの共振器群とは、スプリアスモードの共振周波数がずれるように構成してあることを特徴とする。
【００１１】
請求項２に記載の帯域通過フィルタは、請求項１に記載の帯域通過フィルタにおいて、前記複数の共振器群のうち、入力側共振器群と、入力側共振器群ではない少なくとも１つの共振器群とは、それらを構成する共振器の形状が異なることを特徴とする。
【００１２】
請求項３に記載の帯域通過フィルタは、請求項２に記載の帯域通過フィルタにおいて、前記複数の共振器群のうち、入力側共振器群と、入力側共振器群ではない少なくとも１つの共振器群とは、少なくとも、それらを構成する共振器の幅及び長さが異なることを特徴とする。
【００１３】
請求項４に記載の帯域通過フィルタは、請求項１〜３のいずれか１項に記載の帯域通過フィルタにおいて、前記複数の共振器群のうち、入力側共振器群と、入力側共振器群ではない少なくとも１つの共振器群とは、それらを構成する共振器の数が異なることを特徴とする。
【発明の効果】
【００１４】
本発明の帯域通過フィルタによれば、複数個の共振器がブロードサイド結合して成る共振器群が横方向に複数並列に設けられた帯域通過フィルタにおいて、複数の共振器群のうち、入力側共振器群と、入力側共振器群ではない少なくとも１つの共振器群とは、スプリアスモードの共振周波数がずれるように構成したので、スプリアス応答を大幅に低減することが可能になる。
【図面の簡単な説明】
【００１５】
【図１】本発明の第１の実施形態に係る帯域通過フィルタ１Ａを透視的に示すものであって、（ａ）が正面左斜め上から見た斜視図、（ｂ）が正面図である。
【図２】同上の帯域通過フィルタ１Ａを透視的に示すものであって、（ａ）が平面図、（ｂ）が底面図である。
【図３】同上の帯域通過フィルタ１Ａの４個の共振器からなる１つの共振器群において、それを構成する共振器の共振モードが分裂し、その共振周波数が（縦方向の）間隔Ｓに応じて変化することを示す特性図である。
【図４】同上の４個の共振器からなる１つの共振器群における共振モードＭ１１、Ｍ１２、Ｍ１３、Ｍ１４のそれぞれの電磁界分布の模式図であって、（ａ）が電界分布、（ｂ）が磁界分布である。
【図５】同上の４個の共振器からなる１つの共振器群において、それを構成する共振器の幅Ｗに応じて各々の共振モードの共振周波数が変化することを示す特性図である。
【図６】同上の帯域通過フィルタ１Ａのシミュレーションを示すものであって、（ａ）は入力側共振器群２における共振の特性を示すもの、（ｂ）は出力側共振器群３Ａにおける共振の特性を示すもの、（ｃ）は帯域通過フィルタ１Ａのフィルタ特性を示すもの、（ｄ）は（ｃ）の比較のためのフィルタ特性を示すものである。
【図７】本発明の第２の実施形態に係る帯域通過フィルタ１Ｂを透視的に示すものであって、（ａ）が正面左斜め上から見た斜視図、（ｂ）が正面図である。
【図８】同上の帯域通過フィルタ１Ｂの６個の共振器からなる１つの共振器群において、それを構成する共振器の共振モードが分裂し、その共振周波数が間隔Ｓに応じて変化することを示す特性図である。
【図９】同上の帯域通過フィルタ１Ｂのシミュレーションを示すものであって、（ａ）は入力側共振器群２における共振の特性を示すもの、（ｂ）は出力側共振器群３Ｂにおける共振の特性を示すもの、（ｃ）は帯域通過フィルタ１Ｂのフィルタ特性を示すものである。
【図１０】本発明の第１の実施形態に係る帯域通過フィルタ１Ａの変形例を透視的に示すものであって、（ａ）が正面左斜め上から見た斜視図、（ｂ）が正面図である。
【図１１】本発明の第２の実施形態に係る帯域通過フィルタ１Ｂの変形例を透視的に示すものであって、（ａ）が正面左斜め上から見た斜視図、（ｂ）が正面図である。
【発明を実施するための形態】
【００１６】
以下、本発明を実施するための好ましい形態を図面を参照しながら説明する。本実施形態で説明する帯域通過フィルタは、マイクロストリップライン、コプレーナラインなどにおいて、適用することができるものである。本発明の第１の実施形態に係る帯域通過フィルタ１Ａは、図１〜２に示すように、フィルタ処理を行うよう横方向に並列に設けられた入力側共振器群２と出力側共振器群３Ａを有している。この入力側共振器群２は、入力信号線路２０と結合し、入力信号線路２０は入力端子部２０ａに電気的に接続されている。また、出力側共振器群３Ａは、出力信号線路３０と結合し、出力信号線路３０は出力端子部３０ａに電気的に接続されている。そして、外部から入力端子部２０ａを介して入力信号線路２０に、フィルタ処理が行われる高周波信号（例えば、マイクロ波など）が入力され、フィルタ処理を行った高周波信号は出力信号線路３０に出力され、出力端子部３０ａを介して外部に出力される。構造的には、帯域通過フィルタ１Ａは、絶縁材料（例えば、ＬＴＣＣ（低温同時焼結セラミックス））から成る略直方体状の外郭体１ａを有し、その対向する２面に前述した入力端子部２０ａと出力端子部３０ａが設けられ、それらと直交する方向の対向する２面に、接地導体１ｂ、１ｂ’が設けられている。図１〜２においては、接地導体１ｂ、１ｂ’は透視されている。
【００１７】
入力側共振器群２と出力側共振器群３Ａはそれぞれ、複数個の共振器が積層され、ブロードサイド結合して成る。これらの共振器や入力信号線路２０及び出力信号線路３０は、ストリップ導体であり、各ストリップ導体の間には前述の外郭体１ａの絶縁材料が存在している。入力側共振器群２と出力側共振器群３Ａを構成する各共振器は、λ／４共振器であって、短絡端と開放端の間の長さＬ（図１〜２参照）の長方形状のストリップ導体である。また、入力側共振器群２と出力側共振器群３Ａにおいてブロードサイド結合する共振器はインターディジタル配置となっている。
【００１８】
入力信号線路２０は、前述のように入力側共振器群２に結合している。より詳しくは、入力信号線路２０は、入力側共振器群２を構成するいずれかの共振器にブロードサイド結合、或いは場合によってはエッジ結合している。出力信号線路３０は、前述のように出力側共振器群３Ａに結合している。より詳しくは、出力信号線路３０は、出力側共振器群３Ａを構成するいずれかの共振器にブロードサイド結合、或いは場合によってはエッジ結合している。また、入力信号線路２０と出力信号線路３０の内側の端２０ｂ、３０ｂは、接地導体１ｂ又は１ｂ’に接続され、或いは場合によっては開放された状態となる。入力信号線路２０と出力信号線路３０は、適切な外部とのインピーダンスマッチングや外部Ｑ値のために重要であるが、これらのことの詳しい説明は、本願発明の要旨ではないので省略する。なお、図１〜２に示しているのは、入力信号線路２０と出力信号線路３０がそれぞれ、入力側共振器群２、出力側共振器群３Ａを構成する最も下側の共振器にブロードサイド結合、すなわち、所定の長さが共振器に重なって（オーバラップして）いる場合であり、入力信号線路２０と出力信号線路３０の内側の端２０ｂ、３０ｂが接地導体１ｂ’に接続されている場合である。
【００１９】
入力側共振器群２と出力側共振器群３Ａを構成する共振器の数は、フィルタ特性、損失、サイズなどを考慮して、適宜決定されるものであるが、この実施形態では、共振器の数が４つのものを例として説明する。すなわち、入力側共振器２は４つの共振器２１、２２、２３、２４から成り、共振器２１、２３の短絡端は接地導体１ｂに接続されており、共振器２２、２４の短絡端は接地導体１ｂ’に接続されている。出力側共振器３Ａは４つの共振器３１Ａ、３２Ａ、３３Ａ、３４Ａから成り、共振器３１Ａ、３３Ａの短絡端は接地導体１ｂに接続されており、共振器３２Ａ、３４Ａの短絡端は接地導体１ｂ’に接続されている。
【００２０】
１つの共振器群（入力側共振器群２又は出力側共振器群３Ａ）は、λ／４の共振モードの他に、その奇数倍（３倍、５倍、・・・）の高調波帯域の共振モードを有しているのであるが、着目すべきは、ブロードサイド結合の共振器の間隔Ｓを狭くして行くと、図３に示すように、λ／４の共振モード及びその奇数倍の高調波帯域の共振モードがそれぞれ分裂して、共振周波数が異なる４つの共振モードが存在するようになることである。図３は、１つの共振器群において、λ／４の共振モードが４つの共振モードＭ１１、Ｍ１２、Ｍ１３、Ｍ１４に分裂し、３倍の高調波帯域の共振モードが４つの共振モードＭ２１、Ｍ２２、Ｍ２３、Ｍ２４に分裂していることを示している。これは、図４に示すように、１つの共振器群における共振器間の電磁界分布は４つのパターンに分かれるため、電磁界が有するエネルギーに応じて共振周波数は４つに分裂しているのである。なお、図３及び後述の図のデータは、電磁界分布のシミュレーションソフトであるアンソフト社製ＨＦＳＳを用いたシミュレーションによるものである。
【００２１】
ここで、帯域通過フィルタ１Ａにおいて本来通過させるべき帯域の基本モードは、最低の共振周波数での共振モードであるＭ１１である。それ以外のものは、高調波帯域のものと同様にスプリアスモードとみなされる。
【００２２】
なお、図３は、共振器の間隔Ｓに対して各々の共振モードの共振周波数が変化することをも示している。共振器間の間隔Ｓが小さい程、基本モードＭ１１の共振周波数が低下したり、それに近接するスプリアスモードＭ１２の共振周波数との周波数比が大きくなるので、共振器間の間隔Ｓを小さくすることで、小型化を図ったりフィルタ特性の改善を図ったりすることが可能である。
【００２３】
基本モードＭ１１の共振周波数は、共振器の長さＬを変更して調整すれば、容易に所望の周波数が精度良く得られる。
【００２４】
スプリアスモードＭ１２、Ｍ１３、・・・の強度の低減、すなわちスプリアス応答の低減について説明する。帯域通過フィルタ１Ａにおいては、スプリアスモードＭ１２、Ｍ１３、・・・の強度の低減のために、出力側共振器群３Ａを構成する個々の共振器３１Ａ、３２Ａ、３３Ａ、３４Ａの形状を、入力側共振器群２を構成する個々の共振器２１、２２、２３、２４の形状と異ならせることによって、出力側共振器群３Ａと入力側共振器群２の間で、基本モードＭ１１の共振周波数を一致させる一方、スプリアスモードＭ１２、Ｍ１３、・・・の共振周波数がずれるようにしている。なお、５倍以上の高調波帯域の強度は非常に小さいので、通常は、λ／４の共振モード及びその３倍の高調波帯域の共振モードについてスプリアスモードの共振周波数がずれるようにすればよい。また、共振器の異なる形状とは、反転したり回転したりすると一致するものは含まない。
【００２５】
共振器の異なる形状として、出力側共振器群３Ａを構成する共振器の幅Ｗを入力側共振器群２の幅Ｗと異ならせたものを説明する。これは、図５に示すように、共振器の幅Ｗに応じて各々の共振モードの共振周波数が変化することを利用したものである。すなわち、出力側共振器群３Ａを構成する共振器の幅Ｗを入力側共振器群２の幅Ｗと異ならせれば、出力側共振器群３Ａでは各々の共振モードの共振周波数は、入力側共振器群２の共振周波数からずれるものとなる。それから、出力側共振器群３Ａの基本モードＭ１１の共振周波数が入力側共振器群２の基本モードＭ１１の共振周波数と一致するように、出力側共振器群３Ａの共振器の長さＬを変更して調整する。そうすれば、出力側共振器群３Ａと入力側共振器群２の間で、基本モードＭ１１の共振周波数が一致する一方、スプリアスモードＭ１２、Ｍ１３、・・・の共振周波数がずれるようにすることができるのである。
【００２６】
図６に示すのは、帯域通過フィルタ１Ａのシミュレーションである。入力側共振器群２の全ての共振器の長さＬは１．６ｍｍ、幅Ｗは０．２ｍｍである。出力側共振器群３Ａの全ての共振器の長さＬは１．４ｍｍ、幅Ｗは０．４ｍｍであって、幅Ｗを入力側共振器群２の共振器よりも大きくした分、基本モードＭ１１の共振周波数が低下する（図５参照）ので、長さＬを小さくして共振周波数を上げている。そうすると、出力側共振器群３Ａの基本モードＭ１１の共振周波数（図６（ｂ）参照）が、入力側共振器群２の基本モードＭ１１の共振周波数（約３．５ＧＨｚ）（図６（ａ）参照）に一致するようになるのである。また、図６（ａ）、（ｂ）に示すように、スプリアスモードＭ１２、Ｍ１３、Ｍ１４の共振周波数については、入力側共振器群２と出力側共振器群３Ａの共振周波数から適度にずれている。この帯域通過フィルタ１Ａの特性は、同図（ｃ）に示すように、２０ＧＨｚまでのスプリアス応答が約−１７ｄＢ以下に抑制されている。なお、図示は省略しているが、３倍の高調波帯域のスプリアスモードＭ２１、Ｍ２２、・・・については同様に、入力側共振器群２と出力側共振器群３Ａの共振周波数は互いに適度にずれており、スプリアス応答も十分に抑制されている。また、同図（ｄ）は比較のために出力側共振器群３Ａの共振器を入力側共振器群２の共振器と同じにした場合の帯域通過フィルタ１Ａのフィルタ特性であるが、この場合は、一部のスプリアスモードＭ１３の強度が高い。
【００２７】
次に、本発明の第２の実施形態に係る帯域通過フィルタ１Ｂを説明する。この帯域通過フィルタ１Ｂは、図７に示すように、帯域通過フィルタ１Ａの出力側共振器群３Ａを出力側共振器群３Ｂにかえたものである。出力側共振器群３Ｂは、それを構成する個々の共振器の形状は同じであるものの、共振器の数が入力側共振器群２Ａを構成する共振器の数と異なっている。この実施形態では、入力側共振器群２が４個の共振器２１、２２、２３、２４からなるのに対し、出力側共振器群３Ｂは６個の共振器３１Ｂ、３２Ｂ、３３Ｂ、３４Ｂ、３５Ｂ、３６Ｂからなる。図８は、出力側共振器群３Ｂにおいて、λ／４の共振モードが６つの共振モードＭ’１１、Ｍ’１２、Ｍ’１３、Ｍ’１４、Ｍ’１５、Ｍ’１６に分裂し、３倍の高調波帯域の共振モードが６つの共振モードＭ’２１、Ｍ’２２、Ｍ’２３、Ｍ’２４、Ｍ’２５、Ｍ’２６に分裂していることを示している。
【００２８】
帯域通過フィルタ１Ｂにおいては、スプリアスモードＭ１２、Ｍ１３、・・・、Ｍ’１２、Ｍ’１３、・・・の強度の低減のために、出力側共振器群３Ｂを構成する共振器の数を入力側共振器群２を構成する共振器の数と異ならせることによって、出力側共振器群３Ｂと入力側共振器群２の間で、基本モードＭ’１１、Ｍ１１の共振周波数を一致させる一方、スプリアスモードＭ’１２、Ｍ’１３、・・・、Ｍ１２、Ｍ１３、・・・の共振周波数がずれるようにしている。
【００２９】
具体的には、先ず、出力側共振器群３Ｂの基本モードＭ’１１の共振周波数を入力側共振器群２の基本モードＭ１１の共振周波数と一致させる。そのためには、必要に応じて共振器３１Ｂ、３２Ｂ、・・・の長さＬを変更して調整する。そうすると、出力側共振器群３ＢのスプリアスモードＭ’１２、Ｍ’１３、・・・の共振周波数は、通常、入力側共振器群２のスプリアスモードＭ１２、Ｍ１３、・・・の共振周波数からずれている。もし、一致し、フィルタ特性に影響するならば、前述の第１の実施形態の帯域通過フィルタ１Ａのように、出力側共振器群３Ｂの幅Ｗを変えて、再度、出力側共振器群３Ｂの基本モードＭ’１１の共振周波数を入力側共振器群２の基本モードＭ１１の共振周波数と一致させて調整すればよい。
【００３０】
図９に示すのは、帯域通過フィルタ１Ｂのシミュレーションである。入力側共振器群２及び出力側共振器群３Ｂの共振器の長さＬは１．６ｍｍ、幅Ｗは０．２ｍｍである。この条件で、図９（ａ）、（ｂ）に示すように、出力側共振器群３Ｂの基本モードＭ’１１の共振周波数が入力側共振器群２の基本モードＭ１１の共振周波数（約３．５ＧＨｚ）と良く一致していた。また、同図（ａ）、（ｂ）に示すように、出力側共振器群３ＢのスプリアスモードＭ’１２、Ｍ’１３、・・・の共振周波数は、入力側共振器群２のスプリアスモードＭ１２、Ｍ１３、・・・の共振周波数から適度にずれている。この帯域通過フィルタ１Ｂの特性は、同図（ｃ）に示すように、４０ＧＨｚまでのスプリアス応答が約−２４ｄＢ以下に抑制されている。
【００３１】
以上のように、第１の実施形態と第２の実施形態では、入力側共振器群２と、入力側共振器群ではない少なくとも１つの共振器群（すなわち、出力側共振器群３Ａ又は３Ｂ）とは、スプリアスモードの共振周波数がずれるように構成してあるので、スプリアス応答を大幅に低減することを可能としている。
【００３２】
なお、入力側共振器群２と出力側共振器群３Ａ又は３Ｂの間の結合の程度を示す結合係数ｋや入力信号線路２０と入力側共振器群２との間の結合の程度を示す外部結合係数ｋｘ（外部Ｑ値の逆数）を適切に調整することにより、スプリアス応答の更なる低減が可能である。これらのことの詳しい説明は、本願発明の要旨ではないので省略するが、本願発明者が発明者として含まれる特願２００９−０７２６６６に記載されている。
【００３３】
以上、本発明の実施形態に係る帯域通過フィルタについて説明したが、本発明は、上述の実施形態に記載したものに限られることなく、特許請求の範囲に記載した事項の範囲内でのさまざまな設計変更が可能である。例えば、上記の帯域通過フィルタ１Ａ、１Ｂの１つの共振器群（入力側共振器群２及び出力側共振器群３Ａ、３Ｂ）を構成するそれぞれ共振器の数は、２個以上ならばフィルタ特性、損失、サイズなどを考慮して、適宜変更可能である。
【００３４】
また、入力側共振器群ではない少なくとも１つの共振器群として、出力側共振器群以外の共振器群を入力側共振器群に対してスプリアスモードの共振周波数がずれるように構成することもできる。すなわち、図１０に示す帯域通過フィルタ１Ａ’のように、帯域通過フィルタ１Ａを変形して、入力側共振器群２と出力側共振器群３Ａ’の間に中間共振器群４Ａを配置したり、図１１に示す帯域通過フィルタ１Ｂ’のように、帯域通過フィルタ１Ｂを変形して、入力側共振器群２と出力側共振器群３Ｂ’の間に中間共振器群４Ｂを配置したりし、この中間共振器群４Ａ、４Ｂを特許請求の範囲における入力側共振器群ではない１つの共振器群とすることもできる。中間共振器群４Ａ、４Ｂとして複数の共振器群を配置することも可能である。帯域通過フィルタ１Ａ’は、中間共振器群４Ａを構成する個々の共振器の形状を、入力側共振器群２を構成する個々の共振器の形状と異ならせることで、帯域通過フィルタ１Ａと同様にスプリアスモードの強度を低減している。出力側共振器群３Ａ’を構成する個々の共振器の形状は入力側共振器群２を構成する個々の共振器の形状と同じでよいし或いは異ならせてもよい。帯域通過フィルタ１Ｂ’は、中間共振器群４Ｂを構成する共振器の数を入力側共振器群２を構成する共振器の数と異ならせることで、帯域通過フィルタ１Ｂと同様にスプリアスモードの強度を低減している。出力側共振器群３Ｂ’を構成する共振器の数は入力側共振器群２を構成する共振器の数と同じでよいし或いは異ならせてもよい。このような帯域通過フィルタ１Ａ’、１Ｂ’は、損失が大きくサイズが大きくなり易いが、基本モードの強度に対するスプリアスモードの強度を相対的に小さくできスプリアス応答を更に低減することができる。
【符号の説明】
【００３５】
１Ａ、１Ｂ    帯域通過フィルタ
１ａ  外郭体
１ｂ、１ｂ’  接地導体
２    入力側共振器群
２１〜２４  入力側共振器群２を構成する共振器
２０    入力信号線路
２０ａ  入力信号線路２０の入力端子部
３Ａ、３Ｂ  出力側共振器群
３１Ａ〜３４Ａ  出力側共振器群３Ａを構成する共振器
３１Ｂ〜３６Ｂ  出力側共振器群３Ｂを構成する共振器
３０  出力信号線路
３０ａ  出力信号線路３０の出力端子部
【図１】
2011050020.tif 000003
【図２】
2011050020.tif 000004
【図３】
2011050020.tif 000005
【図４】
2011050020.tif 000006
【図５】
2011050020.tif 000007
【図６】
2011050020.tif 000008
【図７】
2011050020.tif 000009
【図８】
2011050020.tif 000010
【図９】
2011050020.tif 000011
【図１０】
2011050020.tif 000012
【図１１】
2011050020.tif 000013